【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
文書の一範囲の合成画像を生成するために、サーバーコンピュータによって実行される方法であって、
クライアント装置からの検索クエリーをサーバーコンピュータで受信することと、
前記検索クエリーに関連する文書の１以上の参照物からなる１組の検索結果を前記サーバーコンピュータによって生成することと、
前記参照物の１つの選択を前記クライアント装置から前記サーバーコンピュータで受信することと、ここで、該選択された１つの参照物は、前記検索クエリーに関連する第１の部分と前記検索クエリーに関連しない第２の部分とを含み、
前記参照物の選択の受信に応じて、
該選択された参照物に対応する文書の第１の画像であって、前記検索クエリーに関連した前記第１の部分から成る関心領域についての変形されていない表現から成る該第１の画像を決定することと、ここで、前記変形されていない表現とは標準的なユーザにとって判読可能な表現であり、
該選択された参照物に対応する文書の第２の画像であって、前記文書の一範囲の変形された表現から成る該第２の画像を決定することと、ここで、前記変形とはピクセル化及び低解像度化の少なくとも１つからなる変形であり、
前記決定された前記第１の画像及び前記第２の画像を使用して前記文書の前記一範囲の合成画像を自動的に生成することと、
表示のために前記合成画像を前記クライアント装置に送信すること
からなる手順を、前記クライアント装置との相互作用無しに、前記サーバーコンピュータによって実行することと、
からなる方法。
【請求項２】
前記文書の一範囲は、該文書の１ページから成る請求項１に記載した方法。
【請求項３】
前記文書の一範囲は、該文書の全体から成る請求項１に記載した方法。
【請求項４】
前記第１の画像を決定することは、
標準的なユーザにとって判読可能な形態からなる前記文書の一範囲の画像を前記サーバーコンピュータによって生成することと、該生成された画像を前記サーバーコンピュータによって切り取ることを含む請求項１乃至３のいずれかに記載した方法。
【請求項５】
前記文書の一範囲の前記画像を生成することは、文書リポジトリから該画像を取得することを含む請求項４に記載した方法。
【請求項６】
前記文書の一範囲の前記画像を生成することは、電子文書から該画像を取得することを含む請求項４に記載した方法。
【請求項７】
前記第２の画像を決定することは、文書リポジトリから前記第２の画像を取得することを含む請求項１乃至６のいずれかに記載した方法。
【請求項８】
前記第２の画像を決定することは、標準的なユーザにとって判読可能若しくは明瞭に視認しうる形態からなる前記文書の一範囲の画像を前記サーバーコンピュータによって生成することと、該生成された画像を前記サーバーコンピュータによって変形することを含む請求項１乃至７のいずれかに記載した方法。
【請求項９】
更に、前記検索クエリーに応じて前記第１の画像及び前記第２の画像の一方を前記サーバーコンピュータによって変更することを具備する請求項１乃至８のいずれかに記載した方法。
【請求項１０】
前記検索クエリーに応じて前記第１の画像及び前記第２の画像の一方を前記サーバーコンピュータによって変更することは、前記第１の画像及び前記第２の画像の一方における検索語に下線を引くことと、縁取りすることと、強調表示することのうち１つを前記サーバーコンピュータによって行うことからなる請求項９に記載した方法。
【請求項１１】
前記合成画像を自動的に生成することは、前記サーバーコンピュータによって、前記関心領域に対応する前記第２の画像の一部分のみを前記第１の画像で覆うようにして前記第２の画像上に前記第１の画像を重ねることからなる請求項１乃至１０のいずれかに記載した方法
【請求項１２】
前記第２の画像上に前記第１の画像を重ねることは、前記サーバーコンピュータによって前記第１の画像を縁取りすることを更に含む請求項１１に記載した方法。
【請求項１３】
前記第２の画像上に前記第１の画像を重ねることは、前記サーバーコンピュータによって前記第１の画像のフォント色及び背景色の一方を変更することを含む請求項１１に記載した方法。
【請求項１４】
前記第１の画像及び前記第２の画像を使用して前記合成画像を自動的に生成することは、前記サーバーコンピュータによって、前記関心領域に対応する前記第２の画像の一部分を前記第１の画像が覆うことなく前記第２の画像に近づけて前記第１の画像を配置することからなる請求項１乃至１３のいずれかに記載した方法。
【請求項１５】
前記第１の画像及び前記第２の画像を使用して前記合成画像を自動的に生成することは、前記サーバーコンピュータによって、前記第１の画像及び前記第２の画像を指示する引き出し線を生成することを含む請求項１４に記載した方法。
【請求項１６】
文書の一範囲の合成画像を生成するためのサーバーコンピュータシステムであって、
クライアント装置から検索クエリーを受信するように構成されたソフトウェア部と、
前記検索クエリーに関連する文書の１以上の参照物からなる１組の検索結果を生成するように構成されたソフトウェア部と、
前記参照物の１つの選択を受信するように構成されたソフトウェア部と、ここで、該選択された１つの参照物は、前記検索クエリーに関連する第１の部分と前記検索クエリーに関連しない第２の部分とを含み、
前記参照物の選択の受信に応じて、
該選択された参照物に対応する文書の第１の画像であって、前記検索クエリーに関連した前記第１の部分から成る関心領域についての変形されていない表現から成る該第１の画像を決定することと、ここで、前記変形されていない表現とは標準的なユーザにとって判読可能な表現であり、
該選択された参照物に対応する文書の第２の画像であって、前記文書の一範囲の変形された表現から成る該第２の画像を決定することと、ここで、前記変形とはピクセル化及び低解像度化の少なくとも１つからなる変形であり、
前記決定された前記第１の画像及び前記第２の画像を使用して前記文書の前記一範囲の合成画像を自動的に生成することと、
表示のために前記合成画像を前記クライアント装置に送信すること、
からなる手順を実行するように構成されたソフトウェア部と
を具備することを特徴とするサーバーコンピュータシステム。
【請求項１７】
前記文書の一範囲は、該文書の１ページから成る請求項１６に記載したサーバーコンピュータシステム。
【請求項１８】
前記文書の一範囲は、該文書の全体から成る請求項１６に記載したサーバーコンピュータシステム。
【請求項１９】
前記第１の画像を決定するように構成された前記ソフトウェア部は、
標準的なユーザにとって判読可能な形態からなる前記文書の一範囲の画像を前記サーバーコンピュータによって生成するように構成されたソフトウェア部と、該生成された画像を前記サーバーコンピュータによって切り取るように構成されたソフトウェア部と
を含む請求項１６乃至１８のいずれかに記載したサーバーコンピュータシステム。
【請求項２０】
前記文書の一範囲の前記画像を生成するように構成された前記ソフトウェア部は、文書リポジトリから該画像を取得するように構成されたソフトウェア部を含む請求項１９に記載したサーバーコンピュータシステム。
【請求項２１】
前記文書の一範囲の前記画像を生成するように構成された前記ソフトウェア部は、電子文書から該画像を取得するように構成されたソフトウェア部を含む請求項１９に記載したサーバーコンピュータシステム。
【請求項２２】
前記文書の前記第２の画像を決定するように構成された前記ソフトウェア部は、文書リポジトリから前記第２の画像を取得するように構成されたソフトウェア部を含む請求項１６乃至２１のいずれかに記載したサーバーコンピュータシステム。
【請求項２３】
前記第２の画像を決定するように構成された前記ソフトウェア部は、標準的なユーザにとって判読可能若しくは明瞭に視認しうる形態からなる前記文書の一範囲の画像を前記サーバーコンピュータによって生成するように構成されたソフトウェア部と、該生成された画像を変形するように構成されたソフトウェア部とを含む請求項１６乃至２１のいずれかに記載したサーバーコンピュータシステム。
【請求項２４】
更に、前記検索クエリーに応じて前記第１の画像及び前記第２の画像の一方を変更するように構成されたソフトウェア部を含むことを特徴とする請求項１６乃至２３のいずれかに記載したサーバーコンピュータシステム。
【請求項２５】
前記検索クエリーに応じて前記第１の画像及び前記第２の画像の一方を変更するように構成された前記ソフトウェア部は、前記第１の画像及び前記第２の画像の一方における検索語に下線を引く、縁取りする、及び強調表示することのうちの１つを行うように構成されたソフトウェア部を含む請求項２４に記載したサーバーコンピュータシステム。
【請求項２６】
前記合成画像を自動的に生成するように構成された前記ソフトウェア部は、前記関心領域に対応する前記第２の画像の一部分のみを前記第１の画像で覆うようにして前記第２の画像上に前記第１の画像を重ねるように構成されたソフトウェア部を含む請求項１６乃至２５のいずれかに記載したサーバーコンピュータシステム。
【請求項２７】
前記第２の画像上に前記第１の画像を重ねるように構成された前記ソフトウェア部は、前記第１の画像を縁取りするように構成されたソフトウェア部を更に含む請求項２６に記載したサーバーコンピュータシステム。
【請求項２８】
前記第２の画像上に前記第１の画像を重ねるように構成された前記ソフトウェア部は、前記第１の画像のフォント色及び背景色の一方を変更するように構成されたソフトウェア部を含む請求項２６に記載したサーバーコンピュータシステム。
【請求項２９】
前記第１の画像及び前記第２の画像を使用して前記合成画像を生成するように構成された前記ソフトウェア部は、前記関心領域に対応する前記第２の画像の一部分を前記第１の画像が覆うことなく前記第２の画像近づけて前記第１の画像を配置するように構成されたソフトウェア部を含む請求項請求項１６乃至２８のいずれかに記載したサーバーコンピュータシステム。
【請求項３０】
請求項１乃至１５のいずれかに記載の方法における各手順を前記サーバーコンピュータに実行させるためのコンピュータプログラムを記憶してなるコンピュータ読み取り可能な記憶媒体。